(57)【要約】【課題】上下寸法や左右寸法の異なる機器への適用範囲が大きく、種々の大きさの機器を安定よく保持しうるようにした機器保持装置を提供する。【解決手段】支持基板７に上下位置調節可能に取り付けられる、機器の一側面を保持する上下方向の側面板１２の下端に、機器の下面を支持する水平の底板１３を設けた搭載板８と、機器の下面と他側面を支持可能な長さの異なる短寸板２０と長寸板１９とを有する防倒板６とを備え、防倒板６の前後寸法よりも大とした搭載板８における底板１３に凹部１５を設け、この凹部１５に、防倒板６の長寸板１９と短寸板２０とのいずれか一方を選択的に、かつ左右位置を変更可能に嵌合して取付ける。【選択図】  図５
2011104009.tif 000002
【特許請求の範囲】
【請求項１】
什器の天板の下面に取付けられる機器保持装置であって、前記天板の下面に取付けられ、かつ機器の一側面を保持する上下方向の側面板の下端に、機器の下面を支持する水平の底板を設けた正面視内向きＬ字状の搭載板と、前記機器の下面と他側面を支持可能な長さの異なる長寸板と短寸板とを有する正面視外向きＬ字状の防倒板とを備え、前後寸法を前記防倒板の前後寸法よりも大とした前記搭載板における底板の中央部上面に、上方と防倒板側に開口する凹部を設け、この凹部に、前記防倒板における長寸板と短寸板とのいずれか一方を、他方が前記側面板と対向するように選択的に、かつ左右位置を変更可能に嵌合して取付けたことを特徴とする機器保持装置。
【請求項２】
底板に、防倒板の浮き上がり防止手段を設けてなる請求項１記載の機器保持装置。
【請求項３】
凹部を挟んで対向する前後の底板における対向端部を、凹部側に突出させ、この前後の突出部の下面を長寸板または短寸板の上面に当接させることにより、浮き上がり防止手段としてなる請求項２記載の機器保持装置。
【請求項４】
搭載板の側面板を、天板の下面より垂下する支持基板の側面に、上下位置調節可能に取付けてなる請求項１〜３のいずれかに記載の機器保持装置。
【請求項５】
支持基板の側面に、搭載板側に開口する上下方向の凹部を設け、この凹部に、搭載板の側面板を、その内側面と前記支持基板の内側面とが同一面に整合するように嵌合してなる請求項４記載の機器保持装置。
【発明の詳細な説明】
【技術分野】
【０００１】
本発明は、例えばパーソナルコンピュータの本体等の機器を、机やテーブルの天板の直下に保持するのに適した機器保持装置に関する。
【背景技術】
【０００２】
本願の出願人は、パーソナルコンピュータの本体(以下、パソコン本体と略称する)の大きさが変わっても、これを、机やテーブルの天板の直下に安定よく保持しうるようにした機器保持装置を案出し、先に特許出願している(例えば特許文献１参照)。
【先行技術文献】
【特許文献】
【０００３】
【特許文献１】特開２０００−１６３１５６号公報
【発明の概要】
【発明が解決しようとする課題】
【０００４】
上記特許文献１に記載されている機器保持装置においては、パソコン本体を載置する搭載板に対して、左右方向に移動可能に取り付けられる正面視外向きＬ字状をなす防倒具の取付形態は１種のみである。そのため、防倒具におけるパソコン本体の側面を保持する側壁の上下寸法を変えたり、パソコン本体の左右寸法に対応して、側壁の左右位置を大きく変えたりすることはできず、上下寸法や左右寸法の異なるパソコン本体を保持する際の適用範囲が小さいという問題がある。
また、固定ねじのみにより、搭載板と防倒具とを固定しているので、パソコン本体の左右寸法に対応して、防倒具を外側方に移動させればさせるほど、固定ねじによる固定位置も外側方に移動し、固定ねじによる固定部に大きな曲げ荷重が加わるで、防倒具が外側方にぐらつき易く、左右寸法の大きなパソコン本体を安定よく保持できなくなる恐れがある。
【０００５】
本発明は、上記問題点に鑑みてなされたもので、上下寸法や左右寸法の異なる機器への適用範囲が大きく、種々の大きさの機器を安定よく保持しうるようにした機器保持装置を提供することを目的としている。
【課題を解決するための手段】
【０００６】
本発明によると、上記課題は、次の各項のようにして解決される。
（１）什器の天板の下面に取付けられる機器保持装置であって、前記天板の下面に取付けられ、かつ機器の一側面を保持する上下方向の側面板の下端に、機器の下面を支持する水平の底板を設けた正面視内向きＬ字状の搭載板と、前記機器の下面と他側面を支持可能な長さの異なる長寸板と短寸板とを有する正面視外向きＬ字状の防倒板とを備え、前後寸法を前記防倒板の前後寸法よりも大とした前記搭載板における底板の中央部上面に、上方と防倒板側に開口する凹部を設け、この凹部に、前記防倒板における長寸板と短寸板とのいずれか一方を、他方が前記側面板と対向するように選択的に、かつ左右位置を変更可能に嵌合して取付ける。
【０００７】
このような構成とすると、搭載板における長さの異なる長寸板と短寸板とのいずれか一方を、搭載板の底板に、選択的に、かつ左右方向の取付位置を変更可能として取付けることにより、上下寸法や左右寸法の異なる種々の機器を保持することができ、異なる大きさの機器への適用範囲が大きくなる。
また、防倒板の長寸板または短寸板が底板の凹部に嵌合されているので、搭載板に対し、防倒板が前後方向にぐらつくのが防止される。
さらに、底板の上面と、長寸板または短寸板の上面とに大きな段差が形成されないので、機器を安定よく支持しうるとともに、機器保持装置としての体裁が向上する。
【０００８】
（２）上記(１)項において、底板に、防倒板の浮き上がり防止手段を設ける。
【０００９】
このような構成とすると、防倒板は、浮き上がり防止手段により、底板から浮き上がるのが防止されているので、長寸板または短寸板を搭載板から離れる方向に大きくスライドさせても、防倒板が側方にぐらつく恐れは小さく、左右寸法の大きな機器でも安定よく保持することができる。
【００１０】
（３）上記(２)項において、凹部を挟んで対向する前後の底板における対向端部を、凹部側に突出させ、この前後の突出部の下面を長寸板または短寸板の上面に当接させることにより、浮き上がり防止手段とする。
【００１１】
このような構成とすると、凹部に嵌合された防倒板の長寸板または短寸板の上面に、前後の底板の対向部の突出部が当接しているので、長寸板または短寸板を、浮き上がりを防止して凹部内に確実に保持することができる。
また、凹部を挟んで対向する前後の底板の対向端部を、凹部側に突出させるだけで、浮き上がり防止手段を容易に形成することができる。
【００１２】
（４）上記(１)〜(３)項のいずれかにおいて、搭載板の側面板を、天板の下面より垂下する支持基板の側面に、上下位置調節可能に取付ける。
【００１３】
このような構成とすると、機器の上下寸法に対応して、搭載板の上下位置を調節しうるので、異なる大きさの機器への適用範囲がさらに大きくなる。
【００１４】
（５）上記(４)項において、支持基板の側面に、搭載板側に開口する上下方向の凹部を設け、この凹部に、搭載板の側面板を、その内側面と前記支持基板の内側面とが同一面に整合するように嵌合する。
【００１５】
このような構成とすると、搭載板の側面板を支持基板の凹部に嵌合してあるので、搭載板を支持基板に安定よく取付けることができ、かつ搭載板の側面板と、支持基板の内側面とが同一面に整合しているので、体裁がよくなる。
【発明の効果】
【００１６】
本発明によれば、上下寸法や左右寸法の異なる機器への適用範囲が大きく、種々の大きさの機器を安定よく保持しうるようにした機器保持装置を提供することができる。
【図面の簡単な説明】
【００１７】
【図１】本発明の一実施形態を備えるテーブルの左側端部の斜視図である。
【図２】同じく、正面図である。
【図３】同じく、テーブルを内方から見た側面図である。
【図４】機器保持装置を内方から見た斜視図である。
【図５】同じく、分解斜視図である。
【図６】図２のＶＩーＶＩ線に沿う拡大縦断側面図である。
【図７】防倒板を上下反転させて取付けた状態の機器保持装置の斜視図である。
【発明を実施するための形態】
【００１８】
以下、本発明の実施形態を、図面に基づいて説明する。
図１は、本発明の一実施形態を備えるテーブルの左側端部の斜視図、図２は、同じく正面図、図３は、同じく、テーブルを内方から見た側面図で、図１に示すように、テーブル１の天板２における左側端部の下面には、パソコン本体３を保持するための本発明の機器保持装置４が取付けられている。
【００１９】
図４は、機器保持装置４を内方から見た斜視図、図５は、同じく分解斜視図で、機器保持装置４は、パソコン本体３を支持する機器支持体５と、パソコン本体３の傾倒を防止する防倒板６とを備えている。
機器支持体５は、正面視倒立Ｌ字状をなす上下方向の支持基板７と、その右側面に高さ調節可能に取り付けられる正面視Ｌ字状の搭載板８とからなり、支持基板７は、その上端に固着された方形かつ水平の固定板９を、天板２の下面にねじ止めすることにより、天板２の側端部下面より垂下するようにして取付けられている。
【００２０】
支持基板７の周縁には、テーブル１の右側方に向かって直角に折曲され、かつ遊端においてさらに内向きに折曲された折曲片７ａが連設され、この折曲片７ａにより囲まれた支持基板７の右側面には、右方に開口する凹部１０が形成されている。
支持基板７の右側面の中間部には、上下及び前後方向に並ぶ正面視上向き鉤状の４個の係合フック１１が、右方に向かって突設されている。
【００２１】
搭載板９は、パソコン本体３の左側面を保持する上下方向の側面板１２と、その下端より右側方に延出する第１底板１３と、この第１底板１３より前後両方向に延出し、パソコン本体３の下面を支持する１対の第２底板１４、１４とを備えている。側面板１２の上下寸法は、支持基板７のそれよりも所要寸法短寸をなし、かつ支持基板７の凹部１０内に嵌合される前後寸法とされている。なお、凹部１０に側面板１２を嵌合した際、支持基板７の右側面と、側面板１２の前後縁に形成された後記する折曲片１２ａ、１２ａの右側面とが、同一面に整合するようにしてある。
【００２２】
図６の断面図にも示すように、第１底板１３の前後の端縁には、起立片１３ａ、１３ａと、それらの上縁から前方及び後方に向かって延出する水平片１３ｂ、１３ｂとが折曲形成されている。
【００２３】
前後の水平片１３ｂ、１３ｂの上面には、上記前後１対の第２底板１４、１４が、スポット溶接等により固着され、第１底板１３の上面には、両第２底板１４の上面よりも低い、右側方と上方に開放された凹部１５が形成されている。前後の第２底板１４、１４の対向端部は、若干凹部１５側に突出させてあり、それらの突出端部１４ａ、１４ａは、上述した防倒板６の浮き上がり防止手段としての機能を有するようになっている(詳細は後述する)。
第１底板１３には、左右方向を向く前後１対の長孔１６、１６が形成されている。
【００２４】
側面板１２の前後両端部には、支持基板７の各係合フック１１に選択的に係合可能な複数の係合孔１７が、上下方向に列設されている。
側面板１２の前後縁には、右側方に直角に折曲され、かつ遊端においてさらに内向きに対向するように折曲された折曲片１２ａ、１２ａが形成され、係合孔１７と係合する係合フック１１の先端部が、折曲片１２ａよりも右方に突出しないようにしてある。両折曲片１２ａの右側面の上下部と、上記前後の第２底板１４における前後の端部の上面とには、ゴム等のパッド部材１８が取付けられ、機器保持装置４により保持されるパソコン本体３に傷が付くのを防止しうるようにしてある。
【００２５】
防倒板６は、パソコン本体３の右側面を支持する上下方向の長寸板１９と、パソコン本体３の下面を支持する、左右寸法が長寸板１９の上下寸法よりも短寸の短寸板２０とからなり、正面形は左向きＬ字状を呈している。長寸板１９と短寸板２０の周縁には、それぞれ、左側方及び上方に直角に折曲され、かつ遊端においてさらに内向きに折曲された折曲片１９ａ、２０ａが連設されている。
【００２６】
長寸板１９と短寸板２０の前後寸法、すなわち、それらの折曲片１９ａ、２０ａの外面間の離間寸法は、搭載板８の第１底板１３における両起立片１３ａ、１３ａの対向面間の寸法とほぼ等しくされている。
また、短寸板２０の下面から折曲片２０ａの上面までの上下寸法は、第１底板１３と、第２底板１４の突出端部１４ａとの対向面間の寸法とほぼ等しくされている。このようにすることにより、防倒板６の短寸板２０を、搭載板８における第１底板１３の前後の起立片１３ａ、１３ａ間に摺動可能に嵌合することが可能となり、かつ嵌合時において、前後の第２底板１４の突出端部１４ａの下面が、短寸板２０の折曲片２０ａの上面に当接または近接することにより、搭載板８の第１底板１３に対し、防倒板６の短寸板２０が浮き上がるのが防止されるようになっている(図６参照)。
【００２７】
長寸板１９の上端部の左側面と、短寸板２０の左端部の上面とには、前後２個ずつのナット２１、２１が、溶接により固着され、短寸板２０のナット２１には、第１底板１３の前後の長孔１６、１６に下方より挿通される固定ねじ２２、２２が螺合されるようになっている。なお、長寸板１９のナット２１、２１は、後述するように、長寸板１９を第１底板１３に取付けた際に、上記固定ねじ２２を螺合するのに用いられる。
【００２８】
長寸板１９の上端の折曲片１９ａの左縁と、短寸板２０の左側端の折曲片２０ａの上縁とには、それぞれ、下向きの折返し片２３と、右向きの折返し片２４とが連設され、それらの左側面と上面の前後両端部には、上述と同様のパッド部材１８、１８が取付けられている。なお、短寸板２０の折返し片２４の前後寸法は、折曲片２０ａの上面が露呈するように、短寸板２０の前後寸法よりも短寸としてある。また、折返し片２４の上面は、短寸板２０を第１底板１３に嵌合した際、第２底板１４の上面とほぼ整合する高さとされている。
【００２９】
機器保持装置４を組立てるには、まず、支持基板７の４個の係合フック１１に、側面板１２の任意の係合孔１７を係合させることにより、支持基板７の凹部１０内に搭載板８を取付ける。なお、支持基板７に対する搭載板８の上下位置は、上下の各係合孔１７を適宜に選択することにより、保持されるパソコン本体３の上下寸法に対応して、段階的に変更することができる。
【００３０】
ついで、防倒板６の短寸板２０を、搭載板８の第１底板１３の凹部１５内に、右側方より嵌合する。すると、図６に示すように、短寸板２０の前後の折曲片２０ａの上面が、前後の第２底板１４の突出端部１４ａの下面と当接または近接することにより、第１底板１３に対し、防倒板６の短寸板２０が浮き上がるのが防止される。
【００３１】
ついで、第１底板１３の下方より長孔１６、１６に挿入した固定ねじ２２、２２を、防倒板６の短寸板２０のナット２１、２１に螺合すれば、図５に示すような機器保持装置４が組み立てられ、支持基板７の固定板９を天板２の下面に固定することにより、機器保持装置４は使用可能となる。
パソコン本体３を、搭載板８の前後の第２底板１４、１４により支持するとともに、パソコン本体３の両側面を、搭載板８の側面板１２と防倒板６の長寸板１９とにより挟持して保持することにより、機器保持装置４にパソコン本体３が安定よく保持される。
【００３２】
左右寸法の大きなパソコン本体３を保持する際は、固定ねじ２２を緩めて、図２の２点鎖線に示すように、防倒板６を搭載板８に対して右方にスライドさせ、適宜の位置で再度固定ねじ２２を締め付ければよい。この際、上述したように、防倒板６の短寸板２０は、前後の第２底板１４の突出端部１４ａにより、浮き上がりが防止されているので、防倒板６を右方にスライドさせても、長寸板１９が右側方に傾く恐れは小さく、パソコン本体３は安定よく保持される。また、固定ねじ２２による固定部に大きな曲げ荷重が加わるのが防止される。
また、防倒板６の短寸板２０を、搭載板８の第１底板１３に設けた凹部１５に嵌合してあるので、防倒板６が前後方向にぐらつく恐れがない。
【００３３】
図７に示すように、防倒板６を上下反転させ、上記実施形態とは反対に、長寸板１９側を第１底板１３に選択的に取付けることができるので、１つの機器保持装置４により、上下寸法が比較的小さく、左右寸法のより大きなパソコン本体をも保持することができる。
【００３４】
以上説明したように、上記実施形態の機器保持装置４においては、防倒板６を、異なる長さの長寸板１９と短寸板２０とからなるものとし、それらを選択して搭載板８に取付けることにより、上下寸法や左右寸法の異なるパソコン本体３を安定よく保持することができるので、大きさの異なる種々のパソコン本体３への適用範囲が大きくなる。
【００３５】
本発明は、上記実施形態に限定されるものではない。
上記実施形態においては、天板２より垂下する支持基板７に、パソコン本体３を保持する搭載板８を上下位置調節可能に取付けているが、パソコン本体３の上下寸法が搭載板８のそれよりも小さく、搭載板８の上下位置を変更する必要がないときには、支持基板７を省略し、搭載板８のみとすることもある。この際には、搭載板８の上端に固定板９を固着して、搭載板８を天板２の下面に固定すればよい。
【００３６】
また、上記実施形態では、搭載板８の第１底板１３と第２底板１４とを別体としてあるが、それらを、前後方向の中央部に凹部１５が形成されるように、一体をなす底板とすることもできる。この際には、防倒板６の浮き上がりを防止する突片等の前後１対の浮き上がり防止手段を、凹部１５内に若干突出するようにして、その近傍に固着すればよい。
【符号の説明】
【００３７】
１  テーブル
２  天板
３  パソコン本体(機器)
４  機器保持装置
５  機器支持体
６  防倒板
７  支持基板
７ａ折曲片
８  搭載板
９  固定板
１０  凹部
１１  係合フック
１２  側面板
１２ａ折曲片
１３  第１底板
１３ａ起立片
１３ｂ水平片
１４  第２底板
１４ａ突出端部
１５  凹部
１６  長孔
１７  係合孔
１８  パッド部材
１９  長寸板
１９ａ折曲片
２０  短寸板
２０ａ折曲片
２１  ナット
２２  固定ねじ
２３  折返し片
２４  折返し片
【図１】
2011104009.tif 000003
【図２】
2011104009.tif 000004
【図３】
2011104009.tif 000005
【図４】
2011104009.tif 000006
【図５】
2011104009.tif 000007
【図６】
2011104009.tif 000008
【図７】
2011104009.tif 000009